(57)【要約】【課題】免許証取得者に関する情報を通信回線を介して効率的に提供することにより、違反や更新手続に関する書類の発行を効率的に行うことが可能な運転免許証情報管理活用システムを提供すること。【解決手段】運転免許証情報管理活用システムでは、免許証の更新手続の際には、読取発行装置８は、免許証取得者が「免許証更新の手続の申請書類の発行」を選択操作を行うと、免許証９を挿入部に挿入したことに応じて、交付番号２０１の情報を読み取り、管理サーバ１に送信し個人情報テーブル３と違反情報テーブル４の情報を取得する。そして、これらの個人情報テーブル３と違反情報テーブル４の情報に基づいて申請書類１０の発行に必要な費用を算出する処理を行い、「申請書類の発行」を押圧して選択操作し費用の金額の金銭を投入したことに応じて申請書類９を発行する処理を行う。【選択図】  図１
2007219978.tif 000002
【特許請求の範囲】
【請求項１】
自動車の運転の違反を行った際に、運転免許証を用いて違反に関する書類を発行する運転免許証情報管理活用システムにおいて、
免許証を識別するための識別情報と、免許証取得者に関する個人情報と、免許証取得者の違反履歴に関する情報とを関連付けて記憶する免許証データベースと、
違反を行った者が所持する免許証に設けられた記憶部から、この記憶部に記憶された識別情報を読み取る免許読取手段と、
前記免許読取手段が読み取った識別情報に基づいて、前記免許証データベースを検索し、この識別情報に関連付けられた個人情報、違反履歴に関する情報を読み出す免許読出手段と、
前記免許読出手段が読み出した個人情報、違反履歴に関する情報に基づいて違反に関する書類を発行する書類発行手段とを備えたことを特徴とする運転免許証情報管理活用システム。
【請求項２】
自動車の運転免許証の更新手続を行う際に、運転免許証を用いて更新手続に関する書類を発行する運転免許証情報管理活用システムにおいて、
免許証を識別するための識別情報と、免許証取得者に関する個人情報と、免許証取得者の違反履歴に関する情報とを関連付けて記憶する免許証データベースと、
更新手続を行う者が所持する免許証に設けられた記憶部から、この記憶部に記憶された識別情報を読み取る免許読取手段と、
前記免許読取手段が読み取った識別情報に基づいて、前記免許証データベースを検索し、この識別情報に関連付けられた個人情報、違反履歴に関する情報を読み出す免許読出手段と、
前記免許読出手段が読み出した個人情報、違反履歴に関する情報に基づいて更新手続に関する書類を発行する書類発行手段と、
前記免許読出手段が読み出した個人情報、違反履歴に関する情報に基づいて更新手続の費用を算出し更新手続を行う者に表示する費用表示手段とを備えたことを特徴とする運転免許証情報管理活用システム。
【請求項３】
請求項１または２に記載の運転免許証情報管理活用システムにおいて、
前記免許読出手段が読み出した個人情報、違反履歴に関する情報を表示する免許表示手段を更に備えたことを特徴とする運転免許証情報管理活用システム。
【発明の詳細な説明】
【技術分野】
【０００１】
本発明は、自動車の運転の違反や運転免許証の更新手続等を行った際に、運転免許証を用いて違反や更新手続に関する書類を発行する運転免許証情報管理活用システムに関する。
【背景技術】
【０００２】
近年、パーソナルコンピュータの需要は年々増加し、様々な場所で幅広くコンピュータが使用されてきている。しかし、これだけコンピュータが普及している中で、自動車等を運転するための運転免許証の更新などの際の発行に関する手続きではコンピュータが使用されておらず長年変わっていない。運転免許証発行の手続きは警察署でも行うことができるが、運転免許試験センターへ出向き、そこで免許証発行のための申請手続きを行うのが通常である。運転免許試験センターで、自己が望む手続きを始める際に、自己が行った運転違反の履歴や年齢によって申請書類や申請費用が異なっており、まず手続きを行う際に何をしたらよいのか次に何をするのかがわかりづらい。更に、手続きに該当する免許証発行の申請書類の用紙等の配布から収入印紙の発行や、視力検査や写真の撮影など免許証の交付までの作業において手作業による過程が多いため、免許証の交付までの過程段階のそれぞれで、免許証取得者の１人１人にこれらの作業を行っている間に待たされることが多く、結果、申請手続きをしてから運転免許証の発行までにかなりの時間がかかっている。
【０００３】
また、道路交通規則違反者の検挙時に警察官が作成する違反に関する書類についても、運転免許証に記載された違反者に関する個人情報を参照しながら手作業で作成している。これらの手作業を少しでも軽減するために、免許証発行のための申請手続きや違反に関する書類を発行する作業等の機械化を導入することで、運転免許証の情報の記載が必要な各種書類作成時の時間短縮が実現し、本機械化により効率化が図れると考えられる。
【０００４】
下記の特許文献１には、認証サーバがユーザ端末からの申請を受け取り、これに応じてインターネットを介して住民情報システムにアクセスし、住民情報システムに記憶された住民票の情報を用いて免許証の発行を行う運転免許更新システムが提案されている。
【０００５】
【特許文献１】特開２００４−１３７６１号公報
【発明の開示】
【発明が解決しようとする課題】
【０００６】
上述のように、背景技術においては、免許証発行の手続きの申請用紙の配布から収入印紙の発行、視力検査や写真の撮影など免許証の交付までの作業において手作業による過程が多いため、免許証の発行までの過程段階のそれぞれで待たされることが多く、結果、運転免許証の発行までにかなりの時間がかかっているという問題があった。
【０００７】
特許文献１に記載された運転免許更新システムにおいても、認証サーバが住民情報システムにアクセスし住民票の情報を用いて効率的に免許証の発行を行っているのみであり、申請用紙の配布から収入印紙の発行、視力検査や写真の撮影などの過程については、手作業によって行うこととなるため、ある程度の時間がかかることになっていた。これらの手作業でなければならない視力検査や写真の撮影などを除く、免許証発行の手続きの申請書類の作成等の作業において機械化することができれば、免許証の発行までにかかる時間を短縮することができる。
【０００８】
本発明は、以上の問題点を鑑みてなされたものであり、その目的とするところは、免許証取得者に関する情報を通信回線を介して効率的に提供することにより、違反や更新手続に関する書類の発行を効率的に行うことが可能な運転免許証情報管理活用システムを提供することを目的とする。
【課題を解決するための手段】
【０００９】
上記目的を達成するため、請求項１に係る発明は、自動車の運転の違反を行った際に、運転免許証を用いて違反に関する書類を発行する運転免許証情報管理活用システムにおいて、
免許証を識別するための識別情報と、免許証取得者に関する個人情報と、免許証取得者の違反履歴に関する情報とを関連付けて記憶する免許証データベースと、
違反を行った者が所持する免許証に設けられた記憶部から、この記憶部に記憶された識別情報を読み取る免許読取手段と、
前記免許読取手段が読み取った識別情報に基づいて、前記免許証データベースを検索し、この識別情報に関連付けられた個人情報、違反履歴に関する情報を読み出す免許読出手段と、
前記免許読出手段が読み出した個人情報、違反履歴に関する情報に基づいて違反に関する書類を発行する書類発行手段とを備えたことを特徴とする。
【００１０】
請求項２に係る発明は、自動車の運転免許証の更新手続を行う際に、運転免許証を用いて更新手続に関する書類を発行する運転免許証情報管理活用システムにおいて、
免許証を識別するための識別情報と、免許証取得者に関する個人情報と、免許証取得者の違反履歴に関する情報とを関連付けて記憶する免許証データベースと、
更新手続を行う者が所持する免許証に設けられた記憶部から、この記憶部に記憶された識別情報を読み取る免許読取手段と、
前記免許読取手段が読み取った識別情報に基づいて、前記免許証データベースを検索し、この識別情報に関連付けられた個人情報、違反履歴に関する情報を読み出す免許読出手段と、
前記免許読出手段が読み出した個人情報、違反履歴に関する情報に基づいて更新手続に関する書類を発行する書類発行手段と、
前記免許読出手段が読み出した個人情報、違反履歴に関する情報に基づいて更新手続の費用を算出し更新手続を行う者に表示する費用表示手段とを備えたことを特徴とする。
【００１１】
請求項３に係る発明は、請求項１または２に記載の運転免許証情報管理活用システムにおいて、
前記免許読出手段が読み出した個人情報、違反履歴に関する情報を表示する免許表示手段を更に備えたことを特徴とする。
【発明の効果】
【００１２】
本発明に係る運転免許証情報管理活用システムによれば、免許証取得者に関する情報を通信回線を介して効率的に提供することにより、違反や更新手続に関する書類の発行を効率的に行うことが可能となる。
【００１３】
請求項１に係る発明によれば、免許読取手段が違反を行った者が所持する免許証に設けられた記憶部に記憶された識別情報を読み取り、免許読出手段がこの識別情報に基づいて免許証データベースを検索し、この識別情報に関連付けられた個人情報、違反履歴に関する情報を読み出し、書類発行手段が免許読出手段が読み出した個人情報、違反履歴に関する情報に基づいて違反に関する書類を発行するので、免許読取手段に違反を行った者の免許証を読み取らせる作業を行うことで効率的に違反に関する書類を発行できる。
【００１４】
請求項２に係る発明によれば、免許読取手段が更新手続を行う者が所持する免許証に設けられた記憶部に記憶された識別情報を読み取り、免許読出手段がこの識別情報に基づいて免許証データベースを検索し、この識別情報に関連付けられた個人情報、違反履歴に関する情報を読み出し、書類発行手段が免許読出手段が読み出した個人情報、違反履歴に関する情報に基づいて更新手続に関する書類を発行し、費用表示手段が免許読出手段が読み出した個人情報、違反履歴に関する情報に基づいて更新手続の費用を算出し表示するので、免許読取手段に更新手続を行う者の免許証を読み取らせる作業を行うことで、効率的に更新手続に関する書類を発行できる。また、発行された更新手続に関する書類や費用表示手段に表示された更新手続の費用により効率的に更新手続を行うことができる。
【００１５】
請求項３に係る発明によれば、免許表示手段が表示した個人情報、違反履歴に関する情報を参照して、個人情報や違反履歴に関する状況を把握でき、適切に更新手続等を行うことができる。
【発明を実施するための最良の形態】
【００１６】
以下、本発明を実施するための最良の形態を図面を参照して具体的に説明する。図１は、本実施の形態における運転免許証情報管理活用システムのシステム全体を示す構成図である。本運転免許証情報管理活用システムは、管理センターに配置され免許証取得者に関する情報を提供するための処理を行う管理サーバ１と、管理サーバ１に設けられ免許証取得者に関する情報を記憶する管理データベース２と、運転免許試験センターに配置され免許証９の更新手続に関する書類の発行のための処理を行う制御サーバ６と、制御サーバ６に設けられ更新手続に関する書類の書式情報等を記憶する装置制御データベース７と、運転免許試験センターに配置され免許証９に設けられた記憶部から情報を読み取り書類の発行を行う読取発行装置８と、例えば警察官等が携帯する免許証９に設けられた記憶部から情報を読み取り書類の発行を行う読取発行携帯装置１１と、以上の各構成要素を情報やデータの送受信が可能に接続する通信回線５とを備えている。
【００１７】
管理サーバ１は、制御サーバ６や読取発行携帯装置１１から通信回線５を介して送信された免許証９を識別するための識別情報である交付番号２０１に基づいて管理データベース２内を検索し、免許取得者に関する個人情報や違反履歴に関する情報を読み出して送信する機能を有する。
【００１８】
図８は、管理データベース２の構成を示す説明図である。管理データベース２には、免許証９を識別するための識別情報である交付番号２０１と、免許証９を取得した免許証取得者の氏名、住所、本籍地、生年月日、最初の発行年月日等の個人情報を記憶した個人情報テーブル３と、免許取得者が行った運転の違反の各履歴を示す違反履歴を記憶した違反情報テーブル４とが関連付けられて格納されている。
【００１９】
制御サーバ６は、各運転免許試験センターに配置されており、後述するように、読取発行装置８から送信された交付番号２０１の情報を個人情報や違反履歴に関する情報を要求する要求情報と共に通信回線５を介して管理サーバ１に送信する機能を有する。
【００２０】
読取発行装置８は、図示しない挿入部に挿入された免許証９に設けられた記憶部から、この記憶部に記憶された交付番号２０１の情報を読み取り、制御サーバ６に送信する機能を有する。また、個人情報や違反履歴に関する情報に基づいて免許証９の更新手続に関する書類である申請書類１０等を発行する機能を有する。ここで、本実施の形態における運転免許証等の免許証９には、予め免許証９の一部に磁気情報等により情報を記憶する記憶部が設けられており、この記憶部に免許証９を識別するための交付番号２０１が登録され記憶されている。
【００２１】
読取発行携帯装置１１は、警察官等が自動車等の交通規則の違反者を検挙した際に、図示しない非接触で情報を読み取るための読取部にかざした免許証９から、この免許証９の記憶部に記憶された交付番号２０１の情報を読み取り、個人情報や違反履歴に関する情報を要求する要求情報と共に通信回線５を介して管理サーバ１に送信する機能を有する。また、内部には印刷用紙を収納した用紙収納部とこの印刷用紙に印刷する用紙印刷部とを備えており、個人情報や違反履歴に関する情報に基づいて違反に関する書類である違反書類１２等を発行する機能を有する。
【００２２】
図２は、運転免許試験センターに配置された読取発行装置８の機能を示す説明図である。図２に示すように、読取発行装置８は、免許証更新の手続の申請書類１０を発行する際に挿入部に免許証９が挿入されたことに応じて申請書類１０等を発行する。免許証再発行の手続の申請書類を発行する際に免許証再発行に関する書類を発行する。過去の違反履歴を参照する際に挿入部に免許証９が挿入されたことに応じて個人情報や違反履歴に関する情報を図示しない表示部に表示する。運転免許試験センターで免許証９の手続を行う者は、上述のいずれかの機能を選択して手続を行う。
【００２３】
図６は、警察官等が携帯する読取発行携帯装置１１の機能を示す説明図である。図６に示すように、読取発行携帯装置１１は、交通規則の違反者の検挙時に違反書類１２を発行する際に読取部に免許証９をかざしたことに応じて違反書類１２等を発行する。交通規則の違反者の過去の違反履歴を参照する際に読取部に免許証９をかざしたことに応じて個人情報や違反履歴に関する情報を図示しない表示部に表示する。警察官は、交通規則の違反者の検挙時に上述のいずれかの機能を選択して作業を行う。
【００２４】
続いて、本実施の形態における運転免許証情報管理活用システムの動作について、図面を用いて詳細に説明する。まず、免許証の更新手続の際の処理について図３に示すフローチャートを用いて詳細に説明する。運転免許試験センターにおいて、読取発行装置８は、図３に示すように、「免許証更新の手続の申請書類の発行」、「免許証再発行の手続の申請書類の発行」、「過去の違反履歴の参照」のうちのいずれかの機能を選択するための画面を図示しない表示部に表示する。
【００２５】
次に、読取発行装置８は、免許証取得者がこの表示部のタッチパネル機能等により「免許証更新の手続の申請書類の発行」の部分を押圧して選択操作を行うと、免許証９の挿入を指示するメッセージを表示する処理を行う。
【００２６】
次に、読取発行装置８は、免許証取得者が自己が所有する免許証９を図示しない挿入部に挿入すると、免許証９の記憶部に記憶された交付番号２０１の情報を読み取り、この交付番号２０１の情報を制御サーバ６に送信する。制御サーバ６は、この交付番号２０１の情報に個人情報や違反履歴に関する情報を要求する要求情報を付加して、通信回線５を介して管理サーバ１に送信する処理を行う。
【００２７】
管理サーバ１は、交付番号２０１、個人情報、違反履歴に関する情報を要求する要求情報が送信されると、これに応じて交付番号２０１に基づいて管理データベース２内を検索し、この交付番号２０１に関連付けられた個人情報テーブル３と違反情報テーブル４の情報を読み出す。そして、これらの個人情報テーブル３と違反情報テーブル４の情報を制御サーバ６に送信する。制御サーバ６は、これらの個人情報テーブル３と違反情報テーブル４の情報を読取発行装置８に送信する。
【００２８】
次に、読取発行装置８は、これらの個人情報テーブル３と違反情報テーブル４の情報に基づいて申請書類１０の発行に必要な費用を算出する処理を行う。例えば個人情報テーブル３に記憶された免許証取得者の生年月日や、違反情報テーブル４に記憶された違反の点数の合計値等の情報を参照して適切な更新手続の費用を算出する処理を行う。そして、表示部に算出した費用の金額を表示し、また、「過去の違反履歴の参照」、「申請書類の発行」のいずれかを選択するための画面を表示する処理を行う。
【００２９】
次に、読取発行装置８は、免許証取得者がこの表示部のタッチパネル機能等により「申請書類の発行」の部分を押圧して選択操作を行い、金銭を投入するための図示しない投入部に費用の金額の金銭を投入すると、個人情報テーブル３と違反情報テーブル４の情報を用いて申請書類１０を発行する処理を行う。制御サーバ６内の装置制御データベース７から申請書類１０の書式情報等を読み出し、例えば個人情報テーブル３に記憶された免許証取得者の氏名、住所、本籍地等や、違反情報テーブル４に記憶された違反の点数の合計値等を記載した申請書類１０を発行する。免許証取得者はこの申請書類１０を用いて、免許証９の更新手続を行う。
【００３０】
またここで、免許証取得者がこの表示部のタッチパネル機能等により「過去の違反履歴の参照」の部分を押圧して選択操作すると、読取発行装置８は、違反情報テーブル４に記憶された免許証取得者が過去に行った違反の履歴を表示部に表示する処理を行う。例えば、違反情報テーブル４に記憶された過去の違反を行った年月日、点数、違反の内容等を表示部に表示する。免許証取得者は表示部を確認して自己の違反に関する状況を把握する。
【００３１】
続いて、免許証取得者が免許証９を紛失等した場合の免許証の再発行手続の際の処理について図４に示すフローチャートを用いて詳細に説明する。運転免許試験センターにおいて、読取発行装置８は、図４に示すように、「免許証更新の手続の申請書類の発行」、「免許証再発行の手続の申請書類の発行」、「過去の違反履歴の参照」のうちのいずれかの機能を選択するための画面を図示しない表示部に表示する。
【００３２】
次に、読取発行装置８は、免許証取得者がこの表示部のタッチパネル機能等により「免許証再発行の手続の申請書類の発行」の部分を押圧して選択操作を行うと、「再発行の申請書類の発行」を選択するための画面を表示する処理を行う。
【００３３】
次に、読取発行装置８は、免許証取得者がこの表示部のタッチパネル機能等により「再発行の申請書類の発行」の部分を押圧して選択操作を行うと、個人情報テーブル３と違反情報テーブル４の情報を用いて再発行の申請書類を発行する処理を行う。制御サーバ６内の装置制御データベース７から再発行の申請書類の書式情報等を読み出し、例えば個人情報テーブル３に記憶された免許証取得者の氏名、住所、本籍地等を記載した再発行の申請書類を発行する。免許証取得者はこの再発行の申請書類を用いて、免許証９の再発行の手続を行う。
【００３４】
続いて、免許証取得者の過去の違反履歴の参照の際の処理について図５に示すフローチャートを用いて詳細に説明する。運転免許試験センターにおいて、読取発行装置８は、図５に示すように、「免許証更新の手続の申請書類の発行」、「免許証再発行の手続の申請書類の発行」、「過去の違反履歴の参照」のうちのいずれかの機能を選択するための画面を図示しない表示部に表示する。
【００３５】
次に、読取発行装置８は、免許証取得者がこの表示部のタッチパネル機能等により「過去の違反履歴の参照」の部分を押圧して選択操作を行うと、免許証９の挿入を指示するメッセージを表示する処理を行う。
【００３６】
次に、読取発行装置８は、免許証取得者が自己が所有する免許証９を図示しない挿入部に挿入すると、免許証９の記憶部に記憶された交付番号２０１の情報を読み取り、この交付番号２０１の情報を制御サーバ６に送信する。制御サーバ６は、この交付番号２０１の情報に個人情報や違反履歴に関する情報を要求する要求情報を付加して、通信回線５を介して管理サーバ１に送信する処理を行う。
【００３７】
管理サーバ１は、交付番号２０１、個人情報、違反履歴に関する情報を要求する要求情報が送信されると、これに応じて交付番号２０１に基づいて管理データベース２内を検索し、この交付番号２０１に関連付けられた個人情報テーブル３と違反情報テーブル４の情報を読み出す。そして、これらの個人情報テーブル３と違反情報テーブル４の情報を制御サーバ６に送信する。制御サーバ６は、これらの個人情報テーブル３と違反情報テーブル４の情報を読取発行装置８に送信する。
【００３８】
次に、読取発行装置８は、「免許証取得者の情報の参照」、「過去の違反履歴の参照」のいずれかを選択するための画面を表示する処理を行う。
【００３９】
次に、読取発行装置８は、免許証取得者がこの表示部のタッチパネル機能等により「免許証取得者の情報の参照」または「過去の違反履歴の参照」の部分を押圧して選択操作を行うと、個人情報テーブル３に記憶された免許証取得者に関する個人情報、または、違反情報テーブル４に記憶された免許証取得者が過去に行った違反の履歴の情報を表示部に表示する処理を行う。例えば、個人情報テーブル３に記憶された免許証取得者の氏名、住所、本籍地、生年月日、免許証の発行年月日等、または、違反情報テーブル４に記憶された過去の違反を行った年月日、点数、違反の内容等を表示部に表示する。免許証取得者は表示部を見て、個人情報の内容または自己の違反に関する状況を把握し、誤りの有無等を確認する。
【００４０】
続いて、警察管等の交通規則の違反者の検挙時の際の処理について図７に示すフローチャートを用いて詳細に説明する。運転免許試験センターにおいて、警察官等が携帯する読取発行携帯装置１１は、図７に示すように、「違反者の違反書類の発行」、「過去の違反履歴の参照」のうちのいずれかの機能を選択するための画面を図示しない表示部に表示する。
【００４１】
次に、読取発行携帯装置１１は、警察管等がこの表示部のタッチパネル機能等により「違反者の違反書類の発行」の部分を押圧して選択操作を行うと、免許証９の読み取りを指示するメッセージを表示する処理を行う。
【００４２】
次に、読取発行携帯装置１１は、警察管等が違反者が所有する免許証９を図示しない読取部にかざすと、免許証９の記憶部に記憶された交付番号２０１の情報を読み取り、この交付番号２０１の情報に個人情報や違反履歴に関する情報を要求する要求情報を付加して、通信回線５を介して管理サーバ１に送信する処理を行う。
【００４３】
管理サーバ１は、交付番号２０１、個人情報、違反履歴に関する情報を要求する要求情報が送信されると、これに応じて交付番号２０１に基づいて管理データベース２内を検索し、この交付番号２０１に関連付けられた個人情報テーブル３と違反情報テーブル４の情報を読み出す。そして、これらの個人情報テーブル３と違反情報テーブル４の情報を読取発行携帯装置１１に送信する。
【００４４】
次に、読取発行携帯装置１１は、これらの個人情報テーブル３の情報を表示して違反内容を入力するための画面を表示する処理を行う。例えば、個人情報テーブル３に記憶された違反者の氏名、住所、本籍地、生年月日、免許証の発行年月日等を表示し、この検挙した交通規則の違反内容を入力するための違反内容入力欄を表示部に表示する。違反内容入力欄には、例えば交通規則の違反内容、違反を行った場所、年月日、違反の点数等の情報を入力するための入力欄を表示する。そして、「過去の違反履歴の参照」、「違反者の違反書類の発行」のいずれかを選択するための画面を表示する処理を行う。
【００４５】
次に、読取発行携帯装置１１は、警察官等が違反内容入力欄に交通規則の違反内容をキーボード等の入力手段により入力し、この表示部のタッチパネル機能等により「違反者の違反書類の発行」の部分を押圧して選択操作を行うと、個人情報テーブル３と違反情報テーブル４の情報を用いて違反書類１２を発行する処理を行う。読取発行携帯装置１１内の図示しないＲＯＭ等の記憶手段から違反書類１２の書式情報等を読み出し、例えば個人情報テーブル３に記憶された違反者の氏名、住所、本籍地等や、違反情報テーブル４に記憶された違反の点数の合計値等と、違反内容入力欄に入力した交通規則の違反内容等を記載した違反書類１２を発行する。警察管等はこの違反書類１２を用いて、交通規則の違反者に対する処分等を行う。
【００４６】
そして、読取発行携帯装置１１は、違反内容入力欄に入力された交通規則の違反内容に交付番号２０１の情報を付加して、通信回線５を介して管理サーバ１に送信する処理を行う。
【００４７】
管理サーバ１は、交付番号２０１、交通規則の違反内容の情報が送信されると、これに応じて交付番号２０１に基づいて管理データベース２内を検索し、この交付番号２０１に関連付けられた違反情報テーブル４の情報を読み出す。そして、この違反情報テーブル４に違反内容の情報を追加して更新し、管理データベース２に格納する処理を行う。
【００４８】
またここで、警察管等がこの表示部のタッチパネル機能等により「過去の違反履歴の参照」の部分を押圧して選択操作すると、読取発行携帯装置１１は、違反情報テーブル４に記憶された違反者が過去に行った違反の履歴を表示部に表示する処理を行う。例えば、違反情報テーブル４に記憶された過去の違反を行った年月日、点数、違反の内容等を表示部に表示する。警察管等は表示部を確認して違反者の違反に関する状況を把握する。
【００４９】
以上のように、本実施の形態における運転免許証情報管理活用システムでは、免許証の更新手続の際には、読取発行装置８は、免許証取得者が「免許証更新の手続の申請書類の発行」を押圧して選択操作を行うと、免許証９を挿入部に挿入したことに応じて、交付番号２０１の情報を読み取り、管理サーバ１に送信し、個人情報テーブル３と違反情報テーブル４の情報を取得する。そして、これらの個人情報テーブル３と違反情報テーブル４の情報に基づいて申請書類１０の発行に必要な費用を算出する処理を行い、「申請書類の発行」を押圧して選択操作し費用の金額の金銭を投入したことに応じて申請書類９を発行する処理を行う。
【００５０】
このため、免許証取得者は、「免許証更新の手続の申請書類の発行」を選択操作し免許証９を挿入部に挿入することによって、免許証更新の手続の申請書類１０の発行と手続きに必要な費用の支払いを効率的に行うことができる。免許証取得者が申請書類１０に筆記具等を用いて個人情報等を記載する手作業をなくして自動作成することにより時間短縮を図ることができる。
【００５１】
また、警察管等の交通規則の違反者の検挙時の際には、読取発行携帯装置１１は、警察管等が「違反者の違反書類の発行」を押圧して選択操作を行うと、免許証９を読取部にかざしたことに応じて、交付番号２０１の情報を読み取り、管理サーバ１に送信し、個人情報テーブル３と違反情報テーブル４の情報を取得する。そして、違反内容入力欄に交通規則の違反内容を入力し、「違反者の違反書類の発行」を押圧して選択操作したことに応じて、個人情報テーブル３と違反情報テーブル４の情報を用いて違反書類１２を発行する処理を行う。
【００５２】
このため、警察管等は、「違反者の違反書類の発行」を選択操作し免許証９を読取部にかざすことによって、交通規則の違反内容の入力と違反書類１２の発行を効率的に行うことができる。警察管等が違反書類１２に筆記具等を用いて違反者の個人情報や違反内容等を記載する手作業をなくして自動作成することにより時間短縮を図ることができる。
【００５３】
更に、読取発行装置８、読取発行携帯装置１１は、「過去の違反履歴の参照」を押圧して選択操作したことに応じて、違反情報テーブル４に記憶された違反者が過去に行った違反の履歴を表示部に表示する処理を行うので、免許証９を挿入部に挿入する、または、読取部にかざすことによって、免許証取得者、警察管等は容易かつ効率的に表示部を確認して違反に関する状況を把握することが可能となる。
【００５４】
（他の実施の形態）
上述の実施の形態において、免許証９の記憶部に記憶された交付番号２０１を挿入部または読取部に挿入するまたはかざすことによって読み取っていたが、これに限られず、交付番号２０１の情報を含むバーコードを免許証９の表面に印刷し、これをバーコードリーダ等が読み取ることによって、バーコードリーダ等が接続された読取発行装置８、読取発行携帯装置１１が交付番号２０１を取得することとしても良い。
【図面の簡単な説明】
【００５５】
【図１】本実施の形態における運転免許証情報管理活用システムの全体構成を示す説明図である。
【図２】本実施の形態における運転免許証情報管理活用システムの読取発行装置の機能を示す説明図である。
【図３】本実施の形態における運転免許証情報管理活用システムの免許証更新手続の際の処理を示すフローチャート図である。
【図４】本実施の形態における運転免許証情報管理活用システムの免許証再発行手続の際の処理を示すフローチャート図である。
【図５】本実施の形態における運転免許証情報管理活用システムの過去の違反履歴の参照の際の処理を示すフローチャート図である。
【図６】本実施の形態における運転免許証情報管理活用システムの読取発行携帯装置の機能を示す説明図である。
【図７】本実施の形態における運転免許証情報管理活用システムの交通規則の違反者検挙時の際の処理を示すフローチャート図である。
【図８】本実施の形態における運転免許証情報管理活用システムの管理データベースの構成を示す説明図である。
【符号の説明】
【００５６】
１  管理サーバ
２  管理データベース
３  個人情報テーブル
４  違反情報テーブル
５  通信回線
６  制御サーバ
７  装置制御データベース
８  読取発行装置
９  運転免許証
１０  申請書類
１１  読取発行携帯装置
１２  違反書類
【図１】
2007219978.tif 000003
【図２】
2007219978.tif 000004
【図３】
2007219978.tif 000005
【図４】
2007219978.tif 000006
【図５】
2007219978.tif 000007
【図６】
2007219978.tif 000008
【図７】
2007219978.tif 000009
【図８】
2007219978.tif 000010